(57)【特許請求の範囲】
【請求項１】
伸縮性を有する外袋と、前記外袋に収容された多数の小片によって構成される中材とから成るクッションにおいて、
前記中材を構成する小片は、ウレタン系の合成樹脂によって構成され、剛性と弾性をもつ繊維が互いに連結された網目構造を有し、その繊維の先端部が外面で多数の不規則な方向へ向く係合部となっており、
外部からの圧力が加わると、前記小片は弾性変形して湾曲すると共に、前記係合部どうしが互いに係合して塊状となり、振動を与えると係合が解除されて流動性を有した状態に戻ることを特徴とするクッション。
【請求項２】
請求項１に記載したクッションにおいて、抱き枕であることを特徴とするクッション。
【発明の詳細な説明】
【技術分野】
【０００１】
本発明は抱き枕等のクッションに係り、特に所望の形状に変形させ、その状態を保つことができるクッションに関するものである。
【背景技術】
【０００２】
特許文献１に記載された抱き枕は、内袋にクッション材を充填して形成された複数のクッション体を、ファスナーによって開閉可能とされた１つの外袋で包んで構成されている。そして、各クッション体、すなわち中材として、天然又は合成繊維からなるわた、合成樹脂からなるパイプ状ビーズ、発泡樹脂からなるビーズ、合成樹脂製又はゴム製のスポンジ、羽毛、穀類の殻、木製又はコルク製の粒状体から構成されている。
この抱き枕は中材として、天然又は合成繊維からなるわた、合成樹脂からなるパイプ状ビーズ等を使用しているので、手で押さえるなどして圧力を加えれば、中材が圧縮されたり、流動したりして、所望の形状に変形させることが可能である。
【先行技術文献】
【特許文献】
【０００３】
【特許文献１】特開２００８−１８８１５７
【発明の概要】
【発明が解決しようとする課題】
【０００４】
しかしながら、上記従来の抱き枕は圧力を加えて所望の形状に変形させることはできても、圧力を除くと元の形状に戻ってしまい、所望の形状を保ったまま使用することができないという問題がある。
本発明は上記従来の問題点に着目して為されたものであり、抱き枕等のクッションに圧力を加えて変形させ、圧力を除いても変形したままの状態を保持でき、所望の形状を保ったまま使用することができ、さらに元の形状に簡単に戻すことができるクッションの提供を、その目的とする。
【課題を解決するための手段】
【０００５】
本発明は上記課題を解決するためになされたものであり、請求項１の発明は、伸縮性を有する外袋と、前記外袋に収容された多数の小片によって構成される中材とから成るクッションにおいて、前記中材を構成する小片は、ウレタン系の合成樹脂によって構成され、剛性と弾性をもつ繊維が互いに連結された網目構造を有し、その繊維の先端部が外面で多数の不規則な方向へ向く係合部となっており、外部からの圧力が加わると、前記小片は弾性変形して湾曲すると共に、前記係合部どうしが互いに係合して塊状となり、振動を与えると係合が解除されて流動性を有した状態に戻ることを特徴とするクッションである。
【０００７】
請求項２の発明は、請求項１に記載したクッションにおいて、抱き枕であることを特徴とするクッションである。
【発明の効果】
【０００８】
本発明のクッションによれば、圧力を加えて変形させ、圧力を除いても変形したままの状態を保持でき、所望の形状を保ったまま使用することができ、さらに元の形状に簡単に戻すことができる。従って、一つのクッションを必要に応じて自由に形状を変えて使用することができる。
【図面の簡単な説明】
【０００９】
【図１】本発明の実施の形態に係る抱き枕の斜視図と、その内部にある中材の状態を示す図である。
【図２】図１の抱き枕に使用される中材の斜視図である。
【図３】図２の中材が塊状となるメカニズムを説明するための斜視図と、中材の係合部どうしが係合する状態を示す図である。
【図４】図１の抱き枕を、そのほぼ中心で湾曲させた状態の斜視図、その湾曲した部分にある中材の状態を示す図である。
【発明を実施するための形態】
【００１０】
本発明の実施の形態に係るクッションとしての抱き枕１を図面にしたがって説明する。
符号３はほぼ円柱状の外袋を示し、この外袋３は通気性と柔軟性を有する合成繊維によって構成され、伸縮性を有している。外袋３にはファスナーによって開閉できる開口が形成されている。
【００１１】
そして、外袋３には図２、３に詳細に示す中材５が収容されている。中材５は縦１５ｍｍ、横８ｍｍ、奥行８ｍｍ程度の小片状で、ウレタン系の合成樹脂によって構成されている。また中材５はある程度の剛性と弾性をもつ繊維７が互いに連結された網目構造となっており、中材５は弾性変形することができる。そして、この中材５の外面には多数の係合部９が設けられている。この係合部９は繊維７の先端部によって構成されており、弾性をもち、且つ不規則な方向へ向き、しかも湾曲している。
図１に示すように中材５は外袋３に対し多少の余裕をもって収容されている。
【００１２】
図１に示すように抱き枕１が真っ直ぐになっており、外部からの圧力がかかっていない状態では、外袋３内の中材５の係合部９は互いに係合せず、中材５は流動性を有している。
図４に示すように抱き枕１を、そのほぼ中心で湾曲させると、湾曲部分に圧力が加わる。これにより湾曲部分にある中材５が圧縮されて、弾性変形して互いに圧接する状態となり、図３に示すように係合部９どうしが係合して絡み合い、多数の中材５が連結された塊状となる。この中材５が塊状となっている部分では、中材５の流動性がなくなるので、抱き枕１は湾曲したままの状態を保つことになる。
【００１３】
また、抱き枕１を真っ直ぐな元の状態の戻す場合には、抱き枕１を揺する等して中材５に振動を与える。中材５が振動すると係合部９どうしの係合が外れて、中材５が流動できる状態となる。そして、抱き枕１を真っ直ぐになるように伸ばせば、抱き枕１は図１に示す元の状態となる。
【００１４】
このように、抱き枕１は圧力を加えて変形させ、圧力を除いても変形したままの状態を保持でき、所望の形状を保ったままで使用することができ、さらに元の形状に簡単に戻すことができる。従って、一つの抱き枕１を必要に応じて自由に、その形状を変えて使用することができる。
【００１５】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態ではクッションとして抱き枕を示したが、本発明はこれに限定されず、座布団、敷布団、介護等のため体を支持するために体の一部に宛がって用いるクッション等、広義のクッションに適用することが可能である。
【００１６】
また、中材はウレタン系の合成樹脂に限定されず、圧力によって互いに係合して絡み合う係合部を形成できて、振動によってその係合が外れるものであれば、他の合成樹脂、天然樹脂等によって構成してもよい。また、中材の形状、大きさは上記したものに限定されず、適宜変更することが可能である。
【産業上の利用可能性】
【００１７】
本発明は抱き枕や寝具等のクッション製造業に利用可能である。
【符号の説明】
【００１８】
１…抱き枕
３…外袋
５…中材
７…中材を構成する繊維
９…繊維の先端部によって構成される係合部
【図１】
0005762727.tif 000002
【図２】
0005762727.tif 000003
【図３】
0005762727.tif 000004
【図４】
0005762727.tif 000005